(57)【要約】      （修正有）【訣題】洗濯対象物の判別が容易な洗濯ネットを提供する。【解決手段】洗濯ネットＮは、ネット状生地で袋状に形成された袋状本体１と、この袋状本体１の開口部を開閉する手段２とを備える袋状本体１のネット状生地の表面に洗濯対象物を文字で表示された第１の表示部１Ａと、袋状本体１のネット状生地の表面であって、第１の表示部１Ａの近傍に設けられ、洗濯対象物を絵又は図形で表示され、第１の表示部１Ａを補足する第１’の表示部１ａとを備える。【選択図】図１
0003159273.tif 000002
【実用新案登録請求の範囲】
【請求項１】
ネット状生地で袋状に形成された袋状本体と、この袋状本体の開口部を開閉する手段とを備えた洗濯ネットであって、
前記袋状本体のネット状生地の表面に洗濯対象物を文字で表示された第１の表示部と、
前記袋状本体のネット状生地の表面であって、前記第１の表示部の近傍に設けられ、前記洗濯対象物を絵又は図形で表示され、前記第１の表示部を補足する第１’の表示部とを備えている
ことを特徴とする洗濯ネット。
【請求項２】
ネット状生地で袋状に形成された袋状本体と、この袋状本体の開口部を開閉する手段とを備えた洗濯ネットであって、
前記袋状本体のネット状生地の表面に洗濯対象物を複数の文字で表示された第１の表示部と、
前記袋状本体のネット状生地の表面であって、前記第１の表示部の近傍に設けられ、前記洗濯対象物を絵又は図形で表示され、前記第１の表示部を補足する第１’の表示部と、
前記袋状本体のネット状生地の表面に前記洗濯対象物を複数の文字で表示された第２の表示部と、
前記袋状本体のネット状生地の表面であって、前記第２の表示部の近傍に設けられ、前記洗濯対象物を絵又は図形で表示され、前記第２の表示部を補足する第２’の表示部とを備え、
前記第１の表示部に表示された複数の文字は、右から左に向かって読める第１の配列状態にあり、
前記第２の表示部に表示された複数の文字は、右から左に向かって読める第２の配列状態にあり、
前記第１の配列状態と前記第２の配列状態とは、前記袋状本体のネット状生地の表面に、所定角度傾けられて表示されている
ことを特徴とする洗濯ネット。
【請求項３】
ネット状生地で袋状に形成された袋状本体と、この袋状本体の開口部を開閉する手段とを備えた洗濯ネットであって、
前記袋状本体のネット状生地の表面に洗濯対象物を複数の文字で表示された第１の表示部と、
前記袋状本体のネット状生地の表面であって、前記第１の表示部の近傍に設けられ、前記洗濯対象物を絵又は図形で表示され、前記第１の表示部を補足する第１’の表示部と、
前記袋状本体のネット状生地の表面に前記洗濯対象物を複数の文字で表示された第２の表示部と、
前記袋状本体のネット状生地の表面であって、前記第２の表示部の近傍に設けられ、前記洗濯対象物を絵又は図形で表示され、前記第２の表示部を補足する第２’の表示部とを備え、
前記第１の表示部に表示された複数の文字は、上から下に向かって読める第１の配列状態にあり、
前記第２の表示部に表示された複数の文字は、上から下に向かって読める第２の配列状態にあり、
前記第１の配列状態と前記第２の配列状態とは、前記袋状本体のネット状生地の表面に、所定角度傾けられて表示されている
ことを特徴とする洗濯ネット。
【考案の詳細な説明】
【技術分野】
【０００１】
本考案は、洗濯ネットに係り、特に、洗濯対象物の判別が容易な洗濯ネットに関する。
【背景技術】
【０００２】
従来、洗濯対象物の判別ができる洗濯ネットとして、例えば、洗濯ネットの開口部を開閉する把持部に、洗濯対象物である「セーター」「ワイシャツ」「毛布」等の文字を付したもの（特許文献１参照）、洗濯ネットの袋状本体に洗濯対象物を絵又は図形を付したもの（特許文献２参照）がある。
【先行技術文献】
【特許文献】
【０００３】
【特許文献１】実用新案登録第３１１３０３４号公報
【特許文献２】実用新案登録第３１０５２５９号公報
【考案の概要】
【考案が解決しようとする課題】
【０００４】
しかしながら、上述の特許文献１記載の洗濯ネットにあっては、把持部へ洗濯対象物である「セーター」「ワイシャツ」「毛布」等の文字を付しているものの、該文字は、小さいため見づらく、使用勝手が良くないという問題点があった。
また、上述の特許文献２記載の洗濯ネットにあっては、洗濯ネットの袋状本体に洗濯対象物を絵又は図形を付しているものの、絵又は図形を付したもののみでは、判別しづらく、使用勝手が良くないという問題点があった。
【０００５】
本考案は、上記の問題点を除去するようにした洗濯ネットを提供することを目的とする。
【課題を解決するための手段】
【０００６】
請求項１記載の洗濯ネットは、ネット状生地で袋状に形成された袋状本体と、この袋状本体の開口部を開閉する手段とを備えた洗濯ネットであって、前記袋状本体のネット状生地の表面に洗濯対象物を文字で表示された第１の表示部と、前記袋状本体のネット状生地の表面であって、前記第１の表示部の近傍に設けられ、前記洗濯対象物を絵又は図形で表示され、前記第１の表示部を補足する第１’の表示部とを備えているものである。
【０００７】
また、請求項２記載の洗濯ネットは、ネット状生地で袋状に形成された袋状本体と、この袋状本体の開口部を開閉する手段とを備えた洗濯ネットであって、前記袋状本体のネット状生地の表面に洗濯対象物を複数の文字で表示された第１の表示部と、前記袋状本体のネット状生地の表面であって、前記第１の表示部の近傍に設けられ、前記洗濯対象物を絵又は図形で表示され、前記第１の表示部を補足する第１’の表示部と、前記袋状本体のネット状生地の表面に前記洗濯対象物を複数の文字で表示された第２の表示部と、前記袋状本体のネット状生地の表面であって、前記第２の表示部の近傍に設けられ、前記洗濯対象物を絵又は図形で表示され、前記第２の表示部を補足する第２’の表示部とを備え、前記第１の表示部に表示された複数の文字は、右から左に向かって読める第１の配列状態にあり、前記第２の表示部に表示された複数の文字は、右から左に向かって読める第２の配列状態にあり、前記第１の配列状態と前記第２の配列状態とは、前記袋状本体のネット状生地の表面に、所定角度傾けられて表示されているものである。
【０００８】
また、請求項３記載の洗濯ネットは、ネット状生地で袋状に形成された袋状本体と、この袋状本体の開口部を開閉する手段とを備えた洗濯ネットであって、前記袋状本体のネット状生地の表面に洗濯対象物を複数の文字で表示された第１の表示部と、前記袋状本体のネット状生地の表面であって、前記第１の表示部の近傍に設けられ、前記洗濯対象物を絵又は図形で表示され、前記第１の表示部を補足する第１’の表示部と、前記袋状本体のネット状生地の表面に前記洗濯対象物を複数の文字で表示された第２の表示部と、前記袋状本体のネット状生地の表面であって、前記第２の表示部の近傍に設けられ、前記洗濯対象物を絵又は図形で表示され、前記第２の表示部を補足する第２’の表示部とを備え、前記第１の表示部に表示された複数の文字は、上から下に向かって読める第１の配列状態にあり、前記第２の表示部に表示された複数の文字は、上から下に向かって読める第２の配列状態にあり、前記第１の配列状態と前記第２の配列状態とは、前記袋状本体のネット状生地の表面に、所定角度傾けられて表示されているものである。
【考案の効果】
【０００９】
請求項１記載の洗濯ネットによれば、洗濯対象物を文字で表示された第１の表示部の他に、別途、袋状本体のネット状生地の表面であって、前記第１の表示部の近傍に設けられ、前記洗濯対象物を絵又は図形で表示され、前記第１の表示部を補足する第１’の表示部を備えているため、洗濯ネットで洗う洗濯対象物を文字と「絵又は図形」により表示して、洗濯対象物の判別を容易として、洗濯対象物の使用の混同を防いで、使用勝手を向上させることができる。
【００１０】
また、請求項２記載の洗濯ネットによれば、洗濯対象物を複数の文字で表示された第１の表示部の他に、別途、袋状本体のネット状生地の表面であって、前記第１の表示部の近傍に設けられ、前記洗濯対象物を絵又は図形で表示され、前記第１の表示部を補足する第１’の表示部、前記洗濯対象物を複数の文字で表示された第２の表示部、前記袋状本体のネット状生地の表面であって、前記第２の表示部の近傍に設けられ、前記洗濯対象物を絵又は図形で表示され、前記第２の表示部を補足する第２’の表示部を備えているため、洗濯ネットで洗う洗濯対象物を文字と「絵又は図形」により表示して、洗濯対象物の判別を容易として、洗濯対象物の使用の混同を防いで、使用勝手を向上させることができ、しかも、第１の表示部に表示された文字が右から左に向かって読める第１の配列状態と第２の表示部に表示された表示された文字が右から左に向かって読める第２の配列状態とが所定角度傾けられて表示されているため、識別する角度が増加する分、洗濯対象物の判別化が更に容易となる。
【００１１】
また、請求項３記載の洗濯ネットによれば、洗濯対象物を複数の文字で表示された第１の表示部の他に、別途、袋状本体のネット状生地の表面であって、前記第１の表示部の近傍に設けられ、前記洗濯対象物を絵又は図形で表示され、前記第１の表示部を補足する第１’の表示部、前記洗濯対象物を複数の文字で表示された第２の表示部、前記袋状本体のネット状生地の表面であって、前記第２の表示部の近傍に設けられ、前記洗濯対象物を絵又は図形で表示され、前記第２の表示部を補足する第２’の表示部を備えているため、洗濯ネットで洗う洗濯対象物を文字と「絵又は図形」により表示して、洗濯対象物の判別を容易として、洗濯対象物の使用の混同を防いで、使用勝手を向上させることができ、しかも、第１の表示部に表示された文字が上から下に向かって読める第１の配列状態と第２の表示部に表示された表示された文字が上から下に向かって読める第２の配列状態とが所定角度傾けられて表示されているため、識別する角度が増加する分、洗濯対象物の判別化が更に容易となる。
【図面の簡単な説明】
【００１２】
【図１】図１は、本考案の一実施例の洗濯ネットの概略的平面図である。
【図２】図２は、図１の２−２線による概略的断面図である。
【図３】図３は、図１の洗濯ネットに洗濯対象物が収納される前の状態の概略的斜視図である。
【図４】図４は、図３の洗濯ネットに洗濯対象物が収納された使用状態の概略的断面図である。
【図５】図５は、図１の洗濯ネットと異なる他の実施例の洗濯ネットの概略的平面図である。
【図６】図６は、図５の洗濯ネットと異なる他の実施例の洗濯ネットの概略的斜視図である。
【考案を実施するための形態】
【００１３】
本考案の一実施例の洗濯ネットを図面を参照して説明する。
図１〜図４に示すＮは洗濯ネットで、洗濯ネットＮは、ネット状生地で袋状に形成された袋状本体１と、この袋状本体１の開口部１１を開閉する手段２を備えている。
なお、袋状本体１は、内部に洗濯対象物３を収納できるものであれば良く、例えば、図２記載のように、使用前扁平状態であっても良く、また、図６記載のように、使用前立体形状のものでも良い、該立体形状は、図示しないが、角型、円柱型、丸型、球型等でも良い。また、「開閉する手段２」は、周知のもので、例えば、図３に示すように、対向して位置する務歯２１、２２と、この務歯２１、２２を係止、非係止するスライダー２３と、このスライダー２３に取り付けられた引き手２４とから構成される。
【００１４】
袋状本体１には、袋状本体１のネット状生地の表面に洗濯対象物３を文字、例えば、
複数の文字で表示された第１の表示部１Ａが設けられている。第１の表示部１Ａの表示形態は、「洗濯対象物３」により、例えば、「ＤｏｇＷｅａｒ（図１〜図４）」、「Ｓｏｃｋｓ（図５）」、「Ｂｒａｓｓｉｅｒｅ（図６）」となっている。
また、袋状本体１には、袋状本体１のネット状生地の表面であって、第１の表示部１Ａの近傍に設けられ、洗濯対象物３を絵又は図形で表示され、第１の表示部１Ａを補足する第１’の表示部１ａが設けられている。第１’の表示部１ａの表示形態は、「洗濯対象物３」により、例えば、「ペットの足裏形状（図１〜図４）」、「靴下の形状（図５）」、「ブラジャーの形状（図６）」となっている。
【００１５】
従って、上述の図1〜図４、図５、図６記載の洗濯ネットＮによれば、洗濯対象物３を文字で表示された第１の表示部１Ａの他に、別途、袋状本体１のネット状生地の表面であって、第１の表示部１Ａの近傍に設けられ、洗濯対象物３を絵又は図形で表示され、第１の表示部１Ａを補足する第１’の表示部１ａを備えているため、洗濯ネットＮで洗う洗濯対象物３を文字と「絵又は図形」により表示して、洗濯対象物３の判別を容易として、洗濯対象物３の使用の混同を防いで、使用勝手を向上させることができる。
【００１６】
また、図1〜図４、図５、図６記載の洗濯ネットＮの袋状本体１のネット状生地の表面には、第１の表示部１Ａ及び第１’の表示部１ａの他に、第２の表示部２Ａ、第２’の表示部２ａ等が設けられている。
第２の表示部２Ａは、袋状本体１のネット状生地の表面に洗濯対象物３を文字、例えば、複数の文字で表示されたもので、第２の表示部２Ａの表示形態は、「洗濯対象物３」により、例えば、「ＤｏｇＷｅａｒ（図１〜図４）」、「Ｓｏｃｋｓ（図５）」、「Ｂｒａｓｓｉｅｒｅ（図６）」となっている。
また、第２’の表示部２ａは、袋状本体１のネット状生地の表面であって、第２の表示部２Ａの近傍に設けられ、洗濯対象物３を絵又は図形で表示され、第２の表示部２Ａを補足するようになっている。第２’の表示部２ａの表示形態は、「洗濯対象物３」により、例えば、「ペットの足裏形状（図１〜図４）」、「靴下の形状（図５）」、「ブラジャーの形状（図６）」となっている。
【００１７】
なお、図１の矢印Ａ方向から見れば、第１の表示部１Ａに表示された複数の文字は、右から左に向かって読める第１の配列状態、例えば、「ＤｏｇＷｅａｒ」となっている。    また、第１の配列状態は、図５で言えば、「Ｓｏｃｋｓ」、図６で言えば、「Ｂｒａｓｓｉｅｒｅ」である。
また、図１の矢印Ｂ方向から見れば、第２の表示部２Ａに表示された複数の文字は、右から左に向かって読める第２の配列状態、例えば、「ＤｏｇＷｅａｒ」となっている。なお、第１の配列状態は、図５で言えば、「Ｓｏｃｋｓ」、図６で言えば、「Ｂｒａｓｓｉｅｒｅ」である。
そして、前記第１の配列状態と前記第２の配列状態とは、袋状本体１のネット状生地の表面に、所定角度（所定角度は、例えば、図１、図５、図６に示す矢印Ａと矢印Ｂとがなす角度である。）傾けられて表示されている（図１、図５、図６参照）。
【００１８】
その結果、第１の表示部１Ａに表示された文字が右から左に向かって読める第１の配列状態と第２の表示部２Ａに表示された表示された文字が右から左に向かって読める第２の配列状態とが所定角度傾けられて表示されているため、識別する角度が増加する分、洗濯対象物の判別化が更に容易となる。
【００１９】
なお、上述の実施例においては、第１の表示部１Ａに表示された複数の文字は、右から左に向かって読める第１の配列状態、第２の表示部２Ａに表示された複数の文字は、右から左に向かって読める第２の配列状態としたが、本願考案にあっては、これに限らず、図示しないが、第１の表示部１Ａに表示された複数の文字を、上から下に向かって読める第１の配列状態、第２の表示部２Ａに表示された複数の文字を、上から下に向かって読める第２の配列状態としても、上述の実施例と同様な効果を奏する。
【符号の説明】
【００２０】
Ｎ      洗濯ネット
１      袋状本体
１Ａ    第１の表示部
１ａ    第１’の表示部
２      開閉する手段
３      洗濯対象物
１１    開口部
【図１】
0003159273.tif 000003
【図２】
0003159273.tif 000004
【図３】
0003159273.tif 000005
【図４】
0003159273.tif 000006
【図５】
0003159273.tif 000007
【図６】
0003159273.tif 000008